(57)【要約】【課題】コストの増大、装置の大型化を抑えつつ、エネルギの無駄を抑える。【解決手段】空気調和システム１０は、外気導入路１１と、外気導入路１１から導入した外気を冷却除湿方式により除湿処理する外気処理装置２０と、外気処理装置２０で除湿処理された空気を室内Ｒへ供給する処理空気供給路１２と、室内Ｒの空気を処理空気供給路１２側へ導く室内空気導入路１５と、を備える。【選択図】図１
2015137776.tif 000002
【特許請求の範囲】
【請求項１】
外気導入路と、
前記外気導入路から導入した外気を冷却除湿方式により除湿処理する外気処理装置と、
前記外気処理装置で除湿処理された空気を室内へ供給する処理空気供給路と、
前記室内の空気を前記処理空気供給路側へ導く室内空気導入路と、
を備えることを特徴とする空気調和システム。
【請求項２】
前記室内空気導入路は、
前記室内の空気を前記外気処理装置よりも下流側で前記処理空気供給路に導くよう設けられるとともに、
第１流量調節機構と、
前記外気処理装置を経て処理された処理空気の温度に基づき前記第１流量調節機構を制御する第１制御部と、
を備えることを特徴とする請求項１に記載の空気調和システム。
【請求項３】
前記処理空気供給路から前記室内に供給される空気の吹出量が調整可能な空気吹出孔を備え、
前記第１制御部は、前記空気吹出孔からの吹出量に応じた風量調節指令に基づき、前記第１流量調節機構を制御することを特徴とする請求項２に記載の空気調和システム。
【請求項４】
前記外気処理装置で処理された空気を該外気処理装置の入力側へ戻す処理空気バイパス路と、
前記処理空気バイパス路に設けられた第２流量調節機構と、
前記外気処理装置の運転出力値に基いて前記第２流量調節機構を制御する第２の制御部と、
を備えることを特徴とする請求項１から３のいずれか１項記載の空気調和システム。
【請求項５】
前記外気導入路に設けられた第３流量調節機構と、
前記室内の在室人員数および空気質状態の少なくとも一方に応じて前記第３流量調節機構を制御する第３制御部と、
を備えることを特徴とする請求項１から４のいずれか１項記載の空気調和システム。
【請求項６】
前記室内の空気を前記外気処理装置の入力側へ導入する室内空気処理流路を備え、
前記室内空気処理流路には、
第４流量調節機構と、
前記室内の空気温度によって前記第４流量調節機構を制御する第４制御部と、
を備えることを特徴とする請求項１から５のいずれか１項記載の空気調和システム。
【請求項７】
前記外気処理装置において処理空気を、一定の風量又は湿度に維持して運転する処理装置制御部をさらに備えることを特徴とする請求項１から６のいずか１項記載の空気調和システム。
【発明の詳細な説明】
【技術分野】
【０００１】
本発明は、冷房時の外気処理および空気調和を行うための空気調和システムに関する。
【背景技術】
【０００２】
換気のための外気導入や室内空間の温度・湿度管理には、除湿装置や、除湿機能を備えた空気調和装置が広く用いられている。これらの除湿装置や空気調和装置で用いられている除湿法としては、冷却式除湿法と、吸着式除湿法が主として用いられている。
【０００３】
冷却式除湿法は、空気を露点温度以下に冷却することによって空気中の水分を結露させ、その凝縮水を回収することによって、除湿を図る。
特許文献１には、このような冷却式除湿法を用いた除湿空気調和装置が開示されている。図７に示すように、この除湿空気調和装置１は、吸気口４ａから送気口４ｂに至る被処理空気通路４内に、冷却コイル６と、再熱コイル７と、送風機８と、を備えている。除湿空気調和装置１においては、送風機８により、吸気口４ａから被処理空気通路４内に空気が取り込まれ、送気口４ｂから送出される。被処理空気通路４内に取り込まれた空気は、冷却コイル６において、不図示の冷凍機から供給された冷媒によって被処理空気を冷却し、除湿する。冷却コイル６を経た除湿後の空気は、再熱コイル７によって加熱されることで、除湿空気調和装置の設定温度に応じた空気温度に調整がなされる。
【０００４】
吸着式除湿法は、シリカゲル、ゼオライト等の吸着剤により、空気中の水分を吸着分離する。
例えば、特許文献２には、このような吸着式除湿法を用いた吸着式除湿器が開示されている。この吸着式除湿器は、吸着剤を充填した除湿ロータを備えている。除湿ロータは、回転自在に支持されており、吸湿ゾーンと再生ゾーンとが設定されている。除湿ロータ内の除湿剤は、除湿ゾーンで空気が流通することによって、空気中の水分を吸着する。水分を吸着した吸着剤は、除湿ロータの回転によって再生ゾーンに移動して加熱され、吸着した水分が脱離される。
【先行技術文献】
【特許文献】
【０００５】
【特許文献１】特開２００３−１３９４３５号公報
【特許文献２】特開２００９−１３６７５０号公報
【発明の概要】
【発明が解決しようとする課題】
【０００６】
しかしながら、上記したような従来の技術においては、以下に示すような課題が存在する。
特許文献１に開示されているような冷却式除湿法においては、冷却コイル６で空気を冷却することによって、空気中の水分を凝縮させて除湿を図る。このため、除湿後の空気がそのまま室内に供給されると、室内温度が低くなりすぎてしまう。そこで、再熱コイル７で除湿後の空気を加熱し、所望の温度に調整している。しかし、いったん冷却した空気を再び加熱しているので、再熱コイル７で加熱を行うためのエネルギが無駄になるという問題がある。
また、再熱コイル７を用いずに供給空気の温度管理を行おうとすると、空気の冷却が十分に行われないため、除湿が不十分になるという問題もある。
【０００７】
特許文献２に開示されているような吸着式除湿法においては、吸着剤で除湿を行うため、必要以上に空気を冷却する必要がなく、上記のような問題は回避できる。しかし、除湿能力を高めようとすると、自ずと吸着材の必要量が増える。その結果、コストの増大、装置の大型化を招くという問題がある。また、吸着剤で吸着した水分を脱離させるための再生処理を行うには、吸着剤を加熱する熱源、すなわちエネルギが必要である。したがって、この場合においてもエネルギの無駄が生じている。
そこでなされた本発明の目的は、コストの増大、装置の大型化を抑えつつ、エネルギの無駄を抑えることのできる空気調和システムを提供することである。
【課題を解決するための手段】
【０００８】
本発明は、上記課題を解決するため、以下の手段を採用する。
すなわち、本発明の空気調和システムは、外気導入路と、前記外気導入路から導入した外気を冷却除湿方式により除湿処理する外気処理装置と、前記外気処理装置で除湿処理された空気を室内へ供給する処理空気供給路と、前記室内の空気を前記処理空気供給路側へ導く室内空気導入路と、を備えることを特徴とする。
【０００９】
このような空気調和システムにおいては、外気導入路から導入された外気は、外気処理装置において除湿処理され、処理空気供給路を通して室内へ供給される。外気処理装置では、冷却除湿方式により除湿処理するので、処理後の空気は冷却される。そこで、外気に加え、室内空気導入路を通して室内の空気を処理空気供給路側に導く。
これにより、外気処理装置から処理空気供給路を通して室内に供給される空気の温度が高くなる。
このようにして、外気処理装置において、処理後の空気の再加熱を行うことなく、室内温度が低くなりすぎるのを抑えることができる。また、冷房の必要があまりない時にも、除湿運転を行うことができる。しかも、除湿剤を用いることもない。
【００１０】
本発明の空気調和システムにおいて、前記室内空気導入路は、前記室内の空気を前記外気処理装置よりも下流側で前記処理空気供給路に導くよう設けられ、第１流量調節機構と、前記外気処理装置を経て処理された処理空気の温度に基づき前記第１流量調節機構を制御する第１制御部と、が備えられているようにしてもよい。
【００１１】
室内空気導入路により室内から取り込んだ空気を空気処理空気供給路へ導くことで、外気処理装置を経て処理された空気と合流させることができる。これにより、処理空気供給路を通して室内に供給される空気の温度が高まる。加えて、第１制御部および第１流量調節機構により、処理空気供給路に送り込む室内の空気の量を調節する。これにより、外気処理装置から処理空気供給路を通して室内に供給される空気の温度を調節することができる。
【００１２】
また、本発明の空気調和システムにおいて、前記処理空気供給路から前記室内に供給される空気の吹出量が調整可能な空気吹出孔を備え、前記第１制御部は、前記空気吹出孔からの吹出量に応じた風量調節指令に基づき、前記第１流量調節機構を制御するようにしてもよい。
【００１３】
第１制御部により第１流量調節機構を制御することで、室内空気導入路に導く室内の空気の量を調整すると、処理空気供給路における空気流量、つまり、室内に供給する空気流量を調節することができる。したがって、座席スペースに設けられた空気吹出孔における空気吹出量の設定に応じて、室内に供給する空気流量を適切に調節することができる。
【００１４】
また、本発明の空気調和システムは、前記外気処理装置で処理された空気を該外気処理装置の入力側へ戻す処理空気バイパス路と、前記処理空気バイパス路に設けられた第２流量調節機構と、前記外気処理装置の運転出力値に基いて前記第２流量調節機構を制御する第２の制御部と、を備えるようにしてもよい。
【００１５】
外気処理装置から室内側に供給すべき空気量が少ない場合には、外気処理装置で処理された空気を、処理空気バイパス路を介して外気処理装置の入力側へ戻すことで、外気処理装置の通過風量を変動させる必要がない。したがって、外気処理装置を、運転効率の高い状態で運転し続けることができる。
しかも、処理後の空気を外気処理装置の入力側に戻しても、その空気は温度・湿度ともに低いため、外気処理装置において再度処理するためのエネルギも最低限で済む。
このようにして、外気処理装置を、高いエネルギ効率で運転することができる。
【００１６】
本発明の空気調和システムは、前記外気導入路に設けられた第３流量調節機構と、前記室内の在室人員数および空気質状態の少なくとも一方に応じて前記第３流量調節機構を制御する第３制御部と、を備えるようにしてもよい。
【００１７】
これにより、室内の在室人員数および空気質状態の少なくとも一方に応じて、外気導入路から外気処理装置に導入して除湿処理する空気の量を調節することができる。したがって、必要量の外気だけを効率的に処理することができる。
【００１８】
本発明の空気調和システムは、前記室内の空気を前記外気処理装置の入力側へ導入する室内空気処理流路を備え、前記室内空気処理流路には、第４流量調節機構と、前記室内の空気温度によって前記第４流量調節機構を制御する第４制御部と、が備えられているようにしてもよい。
【００１９】
室内の温度が高い場合には、室内の空気を室内空気処理流路を介して外気処理装置に導入することで、室内の空気を冷却し、冷房能力を増加することができる。
【００２０】
本発明の空気調和システムは、前記外気処理装置において処理空気を、一定の風量又は湿度に維持して運転する処理装置制御部をさらに備えるようにしてもよい。
【００２１】
外気処理装置の処理空気を一定の風量又は湿度に維持して運転したまま、上記したような第１流量調節機構、第２流量調節機構、第３流量調節機構、第４流量調節機構によって、各部の空気流量を調節することで、室内の温度を調節することができる。これにより、外気処理装置を、効率良く運転し、除湿処理を効率良く行うことが可能となる。
【発明の効果】
【００２２】
本発明によれば、外気処理装置において、処理後の空気の再加熱を行うことなく、室内温度が低くなりすぎるのを抑えることができる。また、冷房があまり必要ない場合であっても、除湿運転のみを行うことができる。しかも、除湿剤を用いることもない。したがって、コストの増大、装置の大型化を抑えつつ、エネルギの無駄を抑えることが可能となる。
【図面の簡単な説明】
【００２３】
【図１】本実施形態に係る空気調和システムの構成を示す図である。
【図２】上記空気調和システムによる空気調和対象となる室内の構成の一例を示す断面図である。
【図３】上記空気調和システムが通常外気除湿モードにあるときの空気の流れを示す図である。
【図４】上記空気調和システムが吹出温度・吹出風量調整モードにあるときの空気の流れを示す図である。
【図５】上記空気調和システムが室内温度調整モードにあるときの空気の流れを示す図である。
【図６】上記空気調和システムが供給風量調整モードにあるときの空気の流れを示す図である。
【図７】従来の冷却除湿法を用いた除湿装置の一例を示す図である。
【発明を実施するための形態】
【００２４】
以下、添付図面を参照して、本発明による空気調和システムを実施するための形態について、図面に基づいて説明する。
【００２５】
図１は、本実施形態に係る空気調和システムの構成を示す図である。
図１に示すように、空気調和システム１０は、外気処理空調機（外気処理装置）２０と、外気導入路１１と、処理空気供給路１２と、室内空気処理流路１３と、処理空気バイパス路１４と、室内空気導入路１５と、を備えている。
【００２６】
外気処理空調機２０は、冷却除湿方式であり、ケーシング２１と、ケーシング２１内に処理対象となる空気を取り込むファン２２と、ケーシング２１内に取り込んだ空気を冷却して除湿処理する冷却コイル２３と、を備えている。
冷却コイル２３は、不図示の冷水供給源を備えている。冷却コイル２３は、冷水供給源から供給される冷水と、ケーシング２１内に取り込まれた空気とを熱交換させることによって、空気を冷却し、空気中に含まれる水分を凝縮させる。これによってケーシング２１内に取り込まれた空気の除湿処理がなされる。凝縮された水は、ケーシング２１に設けられた不図示のドレン孔からケーシング２１の外部に排出される。また、冷却コイル２３で除湿処理がなされた空気は、ファン２２により、ケーシング２１の出力側２０ｂから外部に押し出される。
【００２７】
外気導入路１１は、その一端１１ａが外気に向けて開口し、他端１１ｂが外気処理空調機２０の入力側２０ａに接続されている。外気導入路１１は、一端１１ａから外気を導入し、外気処理空調機２０の入力側２０ａに導入する。
外気導入路１１の一端１１ａの近傍には、外気を取り込むためのファン１６が設けられている。
また、外気導入路１１には、外気の導入量を調整する外気導入流量調節機構（第３流量調節機構）３１が設けられている。
【００２８】
処理空気供給路１２は、一端１２ａが外気処理空調機２０の出力側２０ｂに接続され、他端１２ｂが室内Ｒへの導入口１１１に接続されている。処理空気供給路１２は、外気処理空調機２０で除湿処理された空気を、外気処理空調機２０の出力側２０ｂから室内Ｒへ供給する。
【００２９】
室内空気導入路１５は、室内Ｒの空気を処理空気供給路１２側へ導く。
室内空気導入路１５は、一端１５ａが室内Ｒからの回収口１１２に接続されている。室内空気導入路１５は、他端１５ｂが外気処理空調機２０の出力側２０ｂよりも下流側で処理空気供給路１２に接続されている。室内空気導入路１５には、室内Ｒから空気を取り込むファン１７が設けられている。
この室内空気導入路１５は、室内Ｒから回収した空気を、外気処理空調機２０の下流側で処理空気供給路１２に導く。つまり、室内空気導入路１５は、室内Ｒから回収した空気を、外気処理空調機２０を通さずにそのまま処理空気供給路１２から室内Ｒに供給する。
室内空気導入路１５には、室内空気導入路１５に導入する空気の流量を調節する送風流量調節機構（第１流量調節機構）３５が設けられている。
【００３０】
室内空気処理流路１３は、一端１３ａが室内空気導入路１５に対し、送風流量調節機構３５よりも上流側に接続されている。室内空気処理流路１３は、他端１３ｂが外気処理空調機２０の入力側２０ａに接続されている。室内空気処理流路１３は、室内Ｒから回収した空気を外気処理空調機２０の入力側２０ａへ導入する。室内空気処理流路１３には、室内Ｒから外気処理空調機２０に導入する室内空気の導入量を調節する室内空気処理流量調節機構（第４流量調節機構）３３が設けられている。
【００３１】
処理空気バイパス路１４は、一端１４ａが外気処理空調機２０の出力側２０ｂに接続され、他端１４ｂが外気処理空調機２０の入力側２０ａに接続されている。処理空気環流路１４は、外気処理空調機２０で除湿処理がなされた空気を外気処理空調機２０の入力側２０ａへ戻す（バイパスさせる）。処理空気バイパス路１４には、外気処理空調機２０の出力側２０ｂから入力側２０ａに戻す空気の流量を調節するバイパス流量調節機構（第２流量調節機構）３４が備えられている。
【００３２】
空気調和システム１０は、その動作を制御する制御部４０を備えている。
制御部４０は、コンピュータ装置が予め設定されたコンピュータプログラムに基づいて所定の処理を自動的に実行する。制御部４０は、上記した外気処理空調機２０、外気導入流量調節機構３１、室内空気処理流量調節機構３３、バイパス流量調節機構３４、送風流量調節機構３５をそれぞれ制御するため、処理装置制御部４６、外気導入流量制御部（第３制御部）４１、室内空気処理流量制御部（第４制御部）４３、バイパス流量制御部（第２制御部）４４、送風流量制御部（第１制御部）４５、を備えている。これら処理装置制御部４６、外気導入流量制御部４１、室内空気処理流量制御部４３、バイパス流量制御部４４、送風流量制御部４５は、制御部４０が動作することによって、機能的に実現されるものである。
【００３３】
図２は、本実施形態における空気調和システム１０による空気調和対象となる室内Ｒの構成の一例を示す断面図である。
この図２に示すように、本実施形態においては、処理空気供給路１２から室内Ｒに供給される除湿処理後の空気は、室内Ｒの床１０１の下方に設けられた床下空間１０２に送り込まれる。
床１０１には、適所に、床下空間１０２から床１０１の上方の室内Ｒに除湿処理後の空気を吹き出す空気吹出孔１０３が形成されている。
【００３４】
空気吹出孔１０３としては、室内Ｒに設置された各座席スペース１０５の近傍に形成された個人用空気吹出孔１０３Ｄと、座席スペース１０５の近傍以外の場所に形成された共用空気吹出孔１０３Ｃと、が設けられている。
個人用空気吹出孔１０３Ｄは、室内空気処理流路１３から床下空間１０２を経て供給される空気を、座席スペース１０５に吹き出す。個人用空気吹出孔１０３Ｄは、空気の吹出量が、各座席スペース１０５の利用者の好みに応じて調整できるようになっている。
【００３５】
また、室内Ｒの天井１０６には、複数の貫通孔１０７が形成されている。この貫通孔１０７を通して、自然対流により室内Ｒの温かい空気が天井裏空間１０８に流れ込む。回収口１１２は、天井裏空間１０８に連通するよう形成されており、天井裏空間１０８から室内Ｒの空気を回収する。
【００３６】
上記のような室内Ｒに対し、空気調和システム１０により室内空気の調和を図るため、室内Ｒには、室内Ｒの温度を検出する温度センサ５１と、室内Ｒに在室している人員を検知する人検知センサ５２と、が設けられている。
温度センサ５１は、検出した室内Ｒの温度を検出する。温度センサ５１は、検出した温度の検出データを、制御部４０（図１参照）に出力する。
人検知センサ５２は、少なくとも、室内Ｒに人員が在室しているか否かを赤外線センサ等によって検出する。さらに、人検知センサ５２は、検出される人員の数をカウントすることもできる。本実施形態では、人検知センサ５２は、検出される人員の数をカウントし、室内Ｒの在室人数を検出データとして制御部４０（図１参照）に出力するものとする。
この人検知センサ５２は、赤外線センサの他、室内Ｒへの入室をＩＤ（Identification）カードの読取、指紋認証等によって管理する入室管理システムから、在室人員の有無や在室人数の情報を取得することで実現してもよい。
また、室内Ｒの空気の質の状態を検出する空気質センサ（不図示）を備え、この空気質センサは、湿度や特定物質（例えば酸素や二酸化炭素）の濃度を検出データとして制御部４０に出力する。
【００３７】
また、各座席スペース１０５に設けられた個人用空気吹出孔１０３Ｄには、ユーザが好みに応じて空気吹出量を設定することのできる吹出量設定コントローラ５３が接続されている。吹出量設定コントローラ５３は、空気吹出量の設定データを、制御部４０に出力する。
【００３８】
外気処理空調機２０においては、外気導入路１１から導入された外気は、冷却コイル２３で冷却されることで、導入した空気中の水分を凝縮させて除湿処理がなされる。したがって、外気処理空調機２０の出力側２０ｂから処理空気供給路１２を経て室内Ｒに供給される空気は、例えば１０〜１５℃程度に冷却されている。このようにして冷却された、除湿処理後の空気Ｒをそのまま室内Ｒに供給していると、室内Ｒの温度が低下してしまう。
そこで、制御部４０は、除湿処理を行いつつ、室内Ｒの温度低下を防ぐため、以下に示すような制御を行う。
【００３９】
（通常外気除湿モード）
図３は、空気調和システム１０が通常外気除湿モードにあるときの空気の流れを示す図である。以下に示す図３〜図６においては、外気導入路１１、処理空気供給路１２、室内空気処理流路１３、処理空気バイパス路１４、室内空気導入路１５のうち、各モードにおいて、空気が流れるものについては実線で示し、空気が流れないものについては破線で示している。
図３に示すように、通常外気除湿モードにおいては、外気導入路１１から導入する外気を、外気処理空調機２０で除湿処理し、処理後の空気を処理空気供給路１２によって室内Ｒに供給する。このとき、制御部４０において、外気導入流量制御部４１は、人検知センサ５２から出力された室内Ｒの在室人員数や、空気質センサ（不図示）から出力された室内Ｒの空気質の情報に応じて、外気導入流量調節機構３１を制御する。すなわち、人員の体から発せられる呼気や汗等によって、室内Ｒの湿度は徐々に高まる。室内Ｒに在室する人員数が多ければ、室内Ｒの湿度の高まり度合いは大きくなる。そこで、在室人員数が多いほど、外気導入流量調節機構３１において、外気導入路１１から導入する外気の流量を増やす。逆に、在室人員が少ないほど、外気導入流量調節機構３１において、外気導入路１１から導入する外気の流量を減らす。さらに、室内Ｒに人員がいなければ、外気導入流量調節機構３１において、外気導入路１１から導入する外気の流量をゼロとすることもできる。
このようにして、外気の導入量を調節することによって、室内Ｒに供給する除湿処理後の空気の供給量を、在室人数に応じたものとする。これにより、室内Ｒの温度が過度に低下するのを防ぐ。
【００４０】
（吹出温度・吹出風量調整モード）
図４は、空気調和システム１０が吹出温度・吹出風量調整モードにあるときの空気の流れを示す図である。
吹出温度・吹出風量調整モードにおいては、送風流量制御部４５は、温度センサ５１で検出された室内Ｒの温度に基づき、送風流量調節機構３５を制御する。
図４に示すように、外気処理空調機２０によって除湿とともに冷却がなされた空気によって、室内Ｒの温度が過度に低下したときには、送風流量調節機構３５を開く。すると、室内Ｒから導入された空気が、室内空気処理路１５を経て、外気処理空調機２０の出力側２０ｂから供給された除湿処理後の空気に合流する。これにより、外気処理空調機２０の出力側２０ｂから処理空気供給路１２に送り出される空気の温度を上昇させ、室内Ｒへの吹出温度が過度に低くならないよう調整することができる。
【００４１】
また、この吹出温度・吹出風量調整モードにおいては、送風流量調節機構３５を開くと、室内Ｒから導入された空気が、室内空気処理路１５を経て、外気処理空調機２０の出力側２０ｂから供給された除湿処理後の空気に合流する。これにより、処理空気供給路１２に送り出される空気の流量を増加させ、室内Ｒへの吹出流量を調整することもできる。
ここで、各個人用空気吹出口１０３Ｄに設定された空気吹出量によって、室内Ｒに供給すべき空気の総量が変動する。そこで、制御部４０においては、各個人用空気吹出口１０３Ｄで設定された空気吹出量の設定データに基づき、供給すべき風量に応じて、風量調節指令を送風流量制御部４５に入力する。送風流量制御部４５は、入力された風量調節指令に基づき、送風流量調節機構３５を制御する。これにより、処理空気供給路１２に送り出される空気の流量を増加させ、処理空気供給路１２を通して室内Ｒに供給する空気の流量を調節することができる。
【００４２】
（室内温度調整モード）
図５は、空気調和システム１０が室内温度調整モードにあるときの空気の流れを示す図である。
室内温度調整モードにおいては、温度センサ５１で検出される室内Ｒの温度に応じて、室内空気処理流量制御部４３は、室内空気処理流量調節機構３３を制御する。
室内Ｒの温度が高い場合には、図５に示すように、室内空気処理流路１３を通して室内Ｒの空気が外気処理空調機２０の入力側へ導入される。すると、外気処理空調機２０には、外気導入路１１から導入される外気に加え、室内空気処理流路１３から導入される室内の空気が導入される。これによって、室内Ｒの空気が外気処理装置２０で冷却され、外気処理装置２０における冷房能力を増加することができる。
【００４３】
（供給風量調整モード）
図６は、空気調和システム１０が供給風量調整モードにあるときの空気の流れを示す図である。
供給風量調整モードにおいては、バイパス流量制御部４４は、外気処理空調機２０の運転出力値に基いてバイパス流量調節機構３４を制御する。
外気処理空調機２０は、負荷が少ない状態であると、冷却コイル２３に送り込む空気の流量が少なすぎて、熱交換等が効率良く行えないことがある。そこで、外気処理空調機２０は、熱交換効率等、運転効率が高い一定の負荷状態に維持して運転するのが好ましい。したがって、本実施形態において、処理装置制御部４６は、外気処理空調機２０を一定の負荷状態、例えば常時ファン２２を全開状態に維持して運転を行う。
このようにして外気処理空調機２０を一定の負荷状態に維持して運転すると、処理空気供給路１２を経て室内Ｒに供給され、除湿処理後の冷却された空気の供給量が多すぎ、室温が下がりすぎることがある。
そこで、図６に示すように、外気処理空調機２０の出力側２０ｂから送り出される空気の一部を処理空気環流路１４に循環させると、処理空気供給路１２を経て室内Ｒに供給される空気流量が減る。これにより、外気処理空調機２０の運転出力値に応じ、室内Ｒに供給する空気流量（供給風量）を調整することができる。
このとき、制御部４０は、例えば温度センサ５１で検出される室内Ｒの温度や、制御部４０に対してユーザ側が設定する運転モード（例えば冷房モードであるか否か）等に応じて、処理装置制御部４６に対して、外気処理空調機２０の運転出力値を設定する。処理装置制御部４６では、この運転出力値に応じて、バイパス流量調節機構３４を制御する。これによって、上記したようにして処理空気環流路１４に還流させる空気流量を調整する。
【００４４】
ところで、図１に示すように、本実施形態では、室内Ｒの温度調節を、空気調和システム１０とは別に独立して設けられた空気調和システム８０によって実施することができる。この空気調和システム８０は、いかなる形式のものであってもよい。
【００４５】
上述した空気調和システム１０においては、外気導入路１１から導入された外気は、外気処理空調機２０において除湿処理され、処理空気供給路１２を通して室内Ｒへ供給される。外気処理空調機２０では、冷却除湿方式により除湿処理するので、処理後の空気は冷却される。そこで、処理空気供給路１２側に、外気に加え、室内空気導入路１５を通して室内Ｒの空気を導入することで、処理空気供給路１２を通して室内Ｒに供給される空気の温度を調節することができる。
このようにして、外気処理空調機２０において、処理後の空気の再加熱を行うことなく、室内Ｒの雰囲気温度が低くなりすぎるのを抑えることができる。また、冷房運転を行わずとも、除湿運転を行うことができる。さらに、外気を取り込んでいるので、除湿とともに換気を行うこともできる。このような除湿処理を行うに際し、除湿剤を用いることもない。したがって、コストの増大、システムの大型化を抑えつつ、エネルギの無駄を抑えることが可能となる。
さらに、このような外気処理空調機２０には、汎用品を用いることができるので、低コスト化を図ることができる。
【００４６】
ここで、室内空気処理路１５を通して、室内Ｒの空気を、外気処理空調機２０の下流側で処理空気供給路１２に導入すると、外気処理空調機２０を経て処理された空気と合流させることができる。したがって、外気処理空調機２０から処理空気供給路１２を通して室内Ｒに供給される空気の温度を高めることができる。
【００４７】
また、外気処理空調機２０から室内Ｒ側に供給すべき空気量が少ない場合には、外気処理空調機２０で処理された空気を、処理空気バイパス路１４を介して外気処理空調機２０の入力側２０ａへ戻すようにした。これにより、室内Ｒ側に供給する空気流量（供給風量）を抑え、室内Ｒの温度が低下するのを抑えることができる。しかも、室内Ｒ側に供給すべき空気流量に応じて、バイパス流量調節機構３４およびバイパス流量制御部４４により、外気処理空調機２０に循環させる空気量を調節することができる。したがって、外気処理空調機２０の通過風量を変動させる必要がない。これにより、外気処理空調機２０を、運転効率の高い状態で運転し続けることができ、除湿効率、運転効率も高い。
しかも、処理後の空気を外気処理空調機２０の入力側２０ａに戻しても、その空気は温度・湿度ともに低いため、外気処理空調機２０において再度処理するためのエネルギも最低限で済む。このようにして、外気処理空調機２０を、高いエネルギ効率で運転することができる。
【００４８】
さらに、室内Ｒの在室人員数や室内Ｒの空気質状態に応じて、室内空気導入路１５を通して導入して室内Ｒの空気の量を調節することができる。したがって、室内Ｒに供給される空気量を調節して、室内Ｒに供給する送風量を適切に調整することができる。そして、この場合も、外気処理空調機２０自体の通過風量を変動させる必要がない。
【００４９】
加えて、外気処理空調機２０の入力側に、外気に加え、室内空気処理流路１３を通して室内Ｒの空気を導入することで、外気処理空調機２０に対する空気導入量を増大させることができる。これによって、処理空気供給路１２における空気流量、つまり、室内Ｒに供給する空気流量を調節することができる。そして、室内空気処理流量制御部４３により室内空気処理流量調節機構３３を制御することで、座席スペース１０５に設けられた個人用空気吹出孔１０３Ｄにおける空気吹出量の設定に応じて、室内Ｒに供給する空気流量を適切に調節することができる。この場合も、外気処理空調機２０自体の通過風量を変動させる必要がない。
【００５０】
さらに、上記したようにして、室内空気処理流量調節機構３３、バイパス流量調節機構３４、外気導入流量調節機構３１、送風流量調節機構３５によって、各部の空気流量を調節し、状況に応じて室内Ｒの温度を適切に調節することができる。これにより、外気処理空調機２０を一定の負荷状態に維持して運転したままとすることができ、外気処理空調機２０を、効率良く運転し、除湿処理を効率良く行うことが可能となる。
【００５１】
（その他の実施形態）
なお、本発明は、図面を参照して説明した上述の各実施形態に限定されるものではなく、その技術的範囲において様々な変形例が考えられる。
例えば、空気調和システム１０において、複数の運転モードを例示したが、制御部４０においては、各種の条件等に応じて、これらの運転モードを組み合わせて実行することもできる。
【００５２】
さらに、上記実施形態では、空気調和システム１０で除湿処理した空気を、床下空間１０２を通し、複数の空気吹出口１０３から室内Ｒに供給するようにしたが、これに限るものではない。例えば空気吹出口１０３は一つのみでもよいし、その設置場所も、床１０１に限らず、壁や天井、あるいは室内Ｒに設置した空調パッケージ等から室内Ｒに供給してもよい。
【００５３】
これ以外にも、本発明の主旨を逸脱しない限り、上記実施の形態で挙げた構成を取捨選択したり、他の構成に適宜変更したりすることが可能である。
【符号の説明】
【００５４】
１０  空気調和システム
１１  外気導入路
１２  処理空気供給路
１３  室内空気処理流路
１４  処理空気バイパス路
１５  室内空気導入路
２０  外気処理空調機（外気処理装置）
３１  外気導入流量調節機構（第３流量調節機構）
３３  室内空気処理流量調節機構（第４流量調節機構）
３４  バイパス流量調節機構（第２流量調節機構）
３５  送風流量調節機構（第１流量調節機構）
４０  制御部
４１  外気導入流量制御部（第３制御部）
４３  室内空気処理流量制御部（第４制御部）
４４  バイパス流量制御部（第２制御部）
４５  送風流量制御部（第１制御部）
４６  処理装置制御部
８０  空気調和システム
１０３  空気吹出孔
１０５  座席スペース
Ｒ  室内
【図１】
2015137776.tif 000003
【図２】
2015137776.tif 000004
【図３】
2015137776.tif 000005
【図４】
2015137776.tif 000006
【図５】
2015137776.tif 000007
【図６】
2015137776.tif 000008
【図７】
2015137776.tif 000009